(57)【要約】【課題】天井から床面にわたる全面を閉止可能又は開放可能となし、移動式パネルの上部が天井に設けたガイドレールで案内され、下部が床面上を走行する下荷重方式であり、移動中の走行安定性に優れ、ガイドレールの一側終端部で９０度回転させてコンパクトに格納することが可能な移動式間仕切装置を提供する。【解決手段】ガイドレール４は前後両面に一対の平行な垂下板５を有し、移動パネル１の上端に両垂下板を受け入れる上方開放の凹溝部６を形成し、凹溝部を形成する両立壁部７の内面に垂下板の外面に摺接するスライダー８をそれぞれ設けた。ガイドレールの両垂下板の内面に対向状態で一対の摺動片１０を全長にわたって突設し、移動パネルの横方向中央部で凹溝部内から垂直な回転軸１１を有するガイドローラ３を上方へ突設し、ガイドローラを両垂下板間で両摺動片の上位に転動可能に保持する。【選択図】        図２
2008002061.tif 000002
【特許請求の範囲】
【請求項１】
移動パネルの下端部に設けた転動輪で床面上を走行するとともに、移動パネルの上端部に設けたガイドローラ又はガイドスライダーを天井に設けたガイドレールに沿って移動案内し、複数の移動パネルをガイドレールに沿って列設させ、またガイドレールの一側終端部に重ねて格納し、天井から床面にわたる全面を閉止可能又は開放可能となした移動式間仕切装置であって、前記ガイドレールは少なくとも前後両面に一対の平行な垂下板を有し、前記移動パネルの上端に前記両垂下板を受け入れる上方開放の凹溝部を形成するとともに、該凹溝部を形成する両立壁部の内面に前記垂下板の外面に摺接するスライダーをそれぞれ設け、あるいは前記ガイドレールの両垂下板の外面に両立壁部の内面に摺接するスライダーをそれぞれ設けたことを特徴とする移動式間仕切装置。
【請求項２】
前記ガイドレールは、上板の両側縁から垂下板を下設した下方開放の断面略コ字形の長尺部材で、両垂下板の内面に対向状態で一対の摺動片を全長にわたって突設したものであり、前記移動パネルの横方向中央部で前記凹溝部内から垂直な回転軸を有するガイドローラを上方へ突設し、該ガイドローラを前記両垂下板間で両摺動片の上位に転動可能に保持してなる請求項１記載の移動式間仕切装置。
【請求項３】
前記ガイドレールは、両垂下板の上下中間位置に前記摺動片を形成した長尺の型材で形成し、一側終端部に対応する方向変換部と、それ以外の直列保持部とからなり、前記方向変換部の両摺動片より下方の両垂下板を切除して切欠部を形成し、前記移動パネルが垂直姿勢で且つ前記転動輪が床面に接した状態で、前記直列保持部の垂下板に前記移動パネルの立壁部のスライダーが摺接し且つ前記方向変換部の垂下板より前記移動パネルの立壁部が低くなるように高さ設定してなる請求項１又は２記載の移動式間仕切装置。
【請求項４】
前記移動パネルの凹溝部内に平面視長円形状の合成樹脂製のブロック体を取付けるとともに、前記ガイドローラの回転軸を前記ブロック体に貫通させて設け、前記ブロック体を前記ガイドレールの両垂下板間で摺動片より下方に摺動可能となした請求項１〜３何れかに記載の移動式間仕切装置。
【請求項５】
前記ブロック体を貫通した前記回転軸の上端部に、前記ガイドローラを回転可能に設けるとともに、該ブロック体の下面と前記回転軸の下端に設けた係止部との間に圧縮コイルばねを介在させて、前記ブロック体に対するガイドローラの上動に対して弾性抵抗力を備えてなる請求項４記載の移動式間仕切装置。
【請求項６】
前記移動パネルの凹溝部の底面板に形成した開口に、前記係止部と圧縮コイルばねを共に挿通してパネル内部に位置させるとともに、前記ブロック体を前記底面板にネジ止めしてなる請求項５記載の移動式間仕切装置。
【発明の詳細な説明】
【技術分野】
【０００１】
本発明は、移動式間仕切装置に係わり、更に詳しくは大部屋を小部屋に区画するために天井から床面にわたる全面を閉止可能又は開放可能となした移動式間仕切装置に関するものである。
【背景技術】
【０００２】
従来から、大部屋の中間部の天井に設けたレールに沿って複数の移動パネルを、そのパネル表面に平行な方向（面内方向）へ移動可能とするとともに、全ての移動パネルをレールの一側終端部で９０度回転させることを可能とした移動式間仕切装置は各種提供されている。この種の移動式間仕切装は、レールの一側終端部で、移動パネルをパネル表面がレールと直交するように９０度回転させて、その表面同士を重ねてコンパクトに格納し、大部屋の空間を開放した態様と、移動パネルを９０度回転させてレールの一側終端部からレールに沿って引き出し、各移動パネルを直線上に連設し、大部屋を小部屋に区画する態様とを実現するものである。
【０００３】
前記移動式間仕切装置の方式として、移動パネルを天井レールに吊下げて走行する吊下げ方式（特許文献１、特許文献２参照）と、移動パネルの下端に設けた走行車輪で床面を走行し、天井のガイドレールで案内する下荷重方式（特許文献３参照）とがある。
【０００４】
特許文献１には、主走行部と補助走行部を有するレール部材Ｘと主走行部のみを有するレール部材Ｙを、主走行部相互が連続するように連結して走行支持部を形成し、ドアパネルの上端に主ランナーと補助ランナーを設け、前記走行支持部の主走行部に主ランナー、補助走行部に補助ランナーをそれぞれスライド自在に係合して該ドアパネルを支持せしめ、走行支持部のレール部材Ｙの位置において、補助ランナーのみが該走行支持部より離脱されて、同ドアパネルが主ランナーを支点として回動されるようにしたスライディングドアが開示されている。
【０００５】
また、特許文献２には、それぞれパネルの上部に、天井面に設けた下方に開口を有する断面略Ｃ字状のレールに沿って走行し得る一対の主ランナーを取付け、複数のパネルを順次にレールに沿って移動させ衝き合わせることによって構成される移動間仕切において、各パネルの上部中央に、該レール上の乗る補助ランナーを設け、該パネルを該補助ランナーを中心として水平に回転可能とし、且つパネルの収納区域の近くに、上記のパネルを水平に回転する際に上記の主ランナーを通す切欠部を一対の主ランナーの間隔と等しい間隔で該レールの左右側壁に１ヶ所づつ設けたことを特徴とする移動間仕切が開示されている。
【０００６】
そして、特許文献３には、移動式パネルの上部が天井に架設したガイドレールに案内部材により案内され下部が床面に走行自在のキャスタにより支持され、更に前記案内部材から下方に延出した支持軸が前記パネルの上部フレームに挿通され、該支持軸と前記上部フレーム間に弾性部材が配置されて、上下方向に摺動自在に支持されている構造が開示されている。
【０００７】
しかし、特許文献１、２記載の吊下げ方式のものは、複数の移動パネルの荷重を支持するために、天井レールを天井面に強固に取付ける必要があり、また天井自体も強度が高い構造であることが要求され、建築物の施工時に構築するのであれば比較的容易であるが、後施工で設ける場合には困難を伴い、更に天井補強が必要になればコスト高となる。また特許文献３の下荷重方式は、ガイドレールの強度に対する要求は低いものの、移動中に移動パネルが左右に振れたり、下部が横方向にずれて傾斜した場合に、該移動パネルが弾性部材の弾性力に抗して下降し、常にキャスタが床面から離れないようにしているが、走行の安定性に問題がある。また、特許文献３の場合、移動パネルの上端の前後端にガイドローラを設けているため、区画した空間を開放する場合に移動パネルをコンパクトに格納する際に、移動パネルを９０度回転させる機構については何ら開示がない。また、特許文献３では、ガイドレールと移動パネルの上端との間に隙間が生じる構造であるので、上部の光漏れ対策として、支持軸が設けられている両端部にガイドレールとの間にスポンジからなるシール部材を設けるとともに、その中間の両側にブラシ体を立設してガイドレールとの間の隙間を隠しているので、見栄えが悪いばかりでなく、ブラシ体の経年変化によるヘタリも考えられ、またコスト増にもなる。
【特許文献１】実開昭６０−９０３７６号公報
【特許文献２】実公昭６４−１４１８号公報
【特許文献３】特開２００２−３６４２３５号公報
【発明の開示】
【発明が解決しようとする課題】
【０００８】
そこで、本発明が前述の状況に鑑み、解決しようとするところは、大部屋を小部屋に区画するために天井から床面にわたる全面を閉止可能又は開放可能となした移動式間仕切装置であって、移動式パネルの上部が天井に設けたガイドレールで案内され、下部が床面上を走行する下荷重方式であり、移動中の走行安定性に優れ、またガイドレールの一側終端部で９０度回転させてコンパクトに格納することが可能な移動式間仕切装置を提供する点にある。
【課題を解決するための手段】
【０００９】
本発明は、前述の課題解決のために、移動パネルの下端部に設けた転動輪で床面上を走行するとともに、移動パネルの上端部に設けたガイドローラ又はガイドスライダーを天井に設けたガイドレールに沿って移動案内し、複数の移動パネルをガイドレールに沿って列設させ、またガイドレールの一側終端部に重ねて格納し、天井から床面にわたる全面を閉止可能又は開放可能となした移動式間仕切装置であって、前記ガイドレールは少なくとも前後両面に一対の平行な垂下板を有し、前記移動パネルの上端に前記両垂下板を受け入れる上方開放の凹溝部を形成するとともに、該凹溝部を形成する両立壁部の内面に前記垂下板の外面に摺接するスライダーをそれぞれ設け、あるいは前記ガイドレールの両垂下板の外面に両立壁部の内面に摺接するスライダーをそれぞれ設けた移動式間仕切装置を構成した（請求項１）。
【００１０】
ここで、前記ガイドレールは、上板の両側縁から垂下板を下設した下方開放の断面略コ字形の長尺部材で、両垂下板の内面に対向状態で一対の摺動片を全長にわたって突設したものであり、前記移動パネルの横方向中央部で前記凹溝部内から垂直な回転軸を有するガイドローラを上方へ突設し、該ガイドローラを前記両垂下板間で両摺動片の上位に転動可能に保持してなることが好ましい（請求項２）。
【００１１】
更に、前記ガイドレールは、両垂下板の上下中間位置に前記摺動片を形成した長尺の型材で形成し、一側終端部に対応する方向変換部と、それ以外の直列保持部とからなり、前記方向変換部の両摺動片より下方の両垂下板を切除して切欠部を形成し、前記移動パネルが垂直姿勢で且つ前記転動輪が床面に接した状態で、前記直列保持部の垂下板に前記移動パネルの立壁部のスライダーが摺接し且つ前記方向変換部の垂下板より前記移動パネルの立壁部が低くなるように高さ設定してなることが好ましい（請求項３）。
【００１２】
更に、前記移動パネルの凹溝部内に平面視長円形状の合成樹脂製のブロック体を取付けるとともに、前記ガイドローラの回転軸を前記ブロック体に貫通させて設け、前記ブロック体を前記ガイドレールの両垂下板間で摺動片より下方に摺動可能となすことが好ましい（請求項４）。
【００１３】
また、前記ブロック体を貫通した前記回転軸の上端部に、前記ガイドローラを回転可能に設けるとともに、該ブロック体の下面と前記回転軸の下端に設けた係止部との間に圧縮コイルばねを介在させて、前記ブロック体に対するガイドローラの上動に対して弾性抵抗力を備えてなることがより好ましい（請求項５）。
【００１４】
そして、前記移動パネルの凹溝部の底面板に形成した開口に、前記係止部と圧縮コイルばねを共に挿通してパネル内部に位置させるとともに、前記ブロック体を前記底面板にネジ止めしてなるのである（請求項６）。
【発明の効果】
【００１５】
以上にしてなる請求項１に係る発明の移動式間仕切装置は、移動パネルの下端部に設けた転動輪で床面上を走行するとともに、移動パネルの上端部に設けたガイドローラ又はガイドスライダーを天井に設けたガイドレールに沿って移動案内する際に、移動パネルの上端に形成した凹溝部内にガイドレールの両垂下板を受け入れるとともに、該凹溝部を形成する両立壁部の内面に設けたスライダーを前記垂下板の外面に摺接することにより、あるいはガイドレールの両垂下板の外面に設けたスライダーを両立壁部の内面に摺接することにより、移動パネルが回転することがなく、また左右に振れることなく、ガイドレールに沿って安定に案内することができる。また、ガイドレールの下部を移動パネルの凹溝部内に受け入れているので、少なくともこの部分から光が漏れることがなく、またスライダーは正面から見えない凹溝部内に設けているので、ガイドレールと移動パネルの関係が単純になり、外観性にも優れたものとなる。
【００１６】
請求項２によれば、移動パネルの横方向中央部で凹溝部内から上方へ突設した垂直な回転軸を有するガイドローラを、ガイドレールの両垂下板間で両摺動片の上位に転動可能に保持するので、移動パネルのガイドレールに沿った移動に対して確実に案内することができ、また移動パネルが多少傾いても、ガイドローラが摺動片に摺接して外れるのを防止するとともに、ガイドレールの両垂下板の一方に当接して転動するので、スムーズに案内することができる。
【００１７】
請求項３によれば、ガイドレールを両垂下板の上下中間位置に摺動片を形成した長尺の型材で形成したので、安価であり、また移動パネルが垂直姿勢で且つ転動輪が床面に接した状態において、ガイドレールの直列保持部の垂下板に移動パネルの立壁部のスライダーが摺接するので、該移動パネルが回転することなく、ガイドレールに沿って整列し、またガイドレールの一側終端部の方向変換部では、該方向変換部の両摺動片より下方の両垂下板を切除して切欠部を形成し、該垂下板より移動パネルの立壁部が低くなるように高さ設定しているので、前記垂直な回転軸を中心として移動パネルを回転させることができ、もって移動パネルを９０°回転させてガイドレールの方向に重ねてコンパクトに格納することができる。
【００１８】
請求項４によれば、移動パネルの凹溝部内に取付けた平面視長円形状の合成樹脂製のブロック体を、ガイドレールの両垂下板間で摺動片より下方に摺動可能としたので、両垂下板を外側のスライダーとで挟むように摺動するので、非常に安定に案内することができ、またガイドローラの回転軸をブロック体に貫通させて設けたので、回転軸の支持強度が高くなるのである。
【００１９】
請求項５によれば、ブロック体を貫通した回転軸の上端部に、ガイドローラを回転可能に設けるとともに、該ブロック体の下面と前記回転軸の下端に設けた係止部との間に圧縮コイルばねを介在させることにより、ブロック体に対するガイドローラの上動に対して弾性抵抗力を備えるので、移動パネルがガイドレールに沿って移動中に傾斜しても、上方への持ち上げ力が作用するので、自動的に移動パネルが垂直状態に復元するのである。
【００２０】
請求項６によれば、ブロック体に回転軸を挿通し、該回転軸の上端部にガイドローラを設け、下部に係止部と圧縮コイルばねを装着して機構部をユニット化し、係止部と圧縮コイルばねとを、移動パネルの凹溝部の底面板に形成した開口に上方から挿通し、ブロック体を底面板にネジ止めするだけで取付けることができ、組立作業が極めて容易である。
【発明を実施するための最良の形態】
【００２１】
次に、添付図面に示した実施形態に基づき、本発明を更に詳細に説明する。図１は本発明に係る移動式間仕切装置の動作原理を説明するための説明図、図２〜図６は簡略化した説明用の移動式間仕切装置を示し、図７〜図１１は本発明の実施形態を示し、図中符号１は移動パネル、２は転動輪、３はガイドローラ、４はガイドレール、Ｆは床面、Ｓは天井をそれぞれ示している。
【００２２】
本発明に係る移動式間仕切装置は、図２及び図３に示すように、移動パネル１の下端部に設けた転動輪２で床面Ｆ上を走行するとともに、移動パネル１の上端部に設けたガイドローラ３を天井Ｓに設けたガイドレール４に沿って移動案内し、複数の移動パネル１，…をガイドレール４に沿って列設させ、またガイドレール４の一側終端部に重ねて格納し、天井Ｓから床面Ｆにわたる全面を閉止可能又は開放可能となした下荷重方式の構造のものである。そして、本発明においては、前記ガイドレール４は少なくとも前後両面に一対の平行な垂下板５，５を有し、前記移動パネル１の上端に前記両垂下板５，５を受け入れる上方開放の凹溝部６を形成するとともに、該凹溝部６を形成する両立壁部７，７の内面に前記垂下板５の外面に摺接するスライダー８をそれぞれ設けて基本構成とした。
【００２３】
尚、前記ガイドローラ３の代わりにガイドスライダーを用いることも可能であるが、移動パネル１をスムーズに移動するには、ガイドローラ３を用いることが好ましい。また、前記スライダー８，８は、前記ガイドレール４の両垂下板５，５の外面に設け、前記凹溝部６を形成する両立壁部７，７の内面に摺接しても良いが、外観性の観点から本実施形態のように両立壁部７，７の内面に設けることが好ましい。
【００２４】
更に詳しくは、前記ガイドレール４は、上板９の両側縁から垂下板５，５を下設した下方開放の断面略コ字形の長尺部材で、両垂下板５，５の内面に対向状態で一対の摺動片１０，１０を全長にわたって突設したものであり、前記移動パネル１の横方向中央部で前記凹溝部６内から垂直な回転軸１１を有するガイドローラ３を上方へ突設し、該ガイドローラ３を前記両垂下板５，５間で両摺動片１０，１０の上位に転動可能に保持している。
【００２５】
そして、前記ガイドレール４は、両垂下板５，５の上下中間位置に前記摺動片１０，１０を形成した長尺のアルミ押し出し型材で形成し、一側終端部に対応する方向変換部Ａと、それ以外の直列保持部Ｂとからなり、前記方向変換部Ａの両摺動片１０，１０より下方の両垂下板５，５を切除して切欠部１２を形成し、前記移動パネル１が垂直姿勢で且つ前記転動輪２が床面Ｆに接した状態で、前記直列保持部Ｂの垂下板５，５に前記移動パネル１の立壁部７，７のスライダー８，８が摺接し且つ前記方向変換部Ａの垂下板５，５より前記移動パネル１の立壁部７，７が低くなるように高さ設定している。
【００２６】
それにより、前記移動パネル１が垂直姿勢で且つ転動輪２が床面Ｆに接した状態において、ガイドレール４の直列保持部Ｂの垂下板５，５に移動パネル１の立壁部７，７のスライダー８，８が摺接するので、該移動パネル１が回転することなく、ガイドレール４に沿って安定に直線移動させることができるとともに、複数の移動パネル１，…を直線上に整列させることができる（図１（ａ）参照）。また、ガイドレール４の方向変換部Ａでは、該方向変換部Ａに切欠部１２を形成し、垂下板５，５より移動パネル１の立壁部７，７が低くなるように高さ設定しているので、前記垂直な回転軸１１を中心として移動パネル１を回転させることができる（図１（ｃ）参照）。こうして、ガイドレール４の方向変換部Ａにおいて、次々と移動パネル１，…を回転させて、互に平行に重ね合せてコンパクトに格納することができるのである（図１（ｄ）及び図１（ｅ）参照）。
【００２７】
ここで、前記ガイドレール４の方向変換部Ａの壁側端部には、前記各移動パネル１，…を方向変換部Ａに受け入れるための空間を確保するために水平回転可能な開閉パネル１３を設けている。前記開閉パネル１３は一側の上下端部を壁面Ｗの近傍で前記ガイドレール４の直下位置に枢着している。また、前記方向変換部Ａの長さは、最後の一枚の移動パネル１を除き、他の移動パネル１，…を方向変換部Ａに重ねて格納した状態で、最後の移動パネル１を方向変換部Ａの残余の空間で回転させることができるように設定している。つまり、前記開閉パネル１３を開いた状態で残余の方向変換部Ａの長さＬは、移動パネル１，…の枚数をＮ、横幅をＤ、厚さをＴとした場合に、Ｌ＞（Ｎ−１）Ｔ＋Ｄを満足するように設定されている。
【００２８】
そして、図４（ａ）及び（ｂ）に示すように、前記移動パネル１の凹溝部６内に平面視長円形状の合成樹脂製のブロック体１４を取付けるとともに、前記ガイドローラ３の回転軸１１を前記ブロック体１４に貫通させて設け、前記ブロック体１４を前記ガイドレール４の両垂下板５，５間で摺動片１０，１０より下方に摺動可能となしている。更に詳しくは、前記ブロック体１４の中心孔１５を貫通した前記回転軸１１の上端部に、前記ガイドローラ３を回転可能に設けるとともに、該ブロック体１４の下面と前記回転軸１１の下端に設けた係止部１６との間に圧縮コイルばね１７を介在させて機構部をユニット化している。
【００２９】
そして、前記ブロック体１４に回転軸１１、ガイドローラ３、係止部１６及び圧縮コイルばね１７を組み合わせてユニット化した状態で、前記移動パネル１の凹溝部６の底面板１８でパネル横幅の中央部に形成した開口１９に、前記係止部１６と圧縮コイルばね１７を共に上方から挿通してパネル内部に位置させるとともに、前記ブロック体１４を前記底面板１８に上方からネジ２０，…にて締着する。ここで、前記ブロック体１４に対するガイドローラ３の上動に対して圧縮コイルばね１７が圧縮されるので、その反発力による弾性抵抗力を備えている。前記ガイドローラ３は、ガイドレール４の両摺動片１０，１０に係止されるので、同じ高さ位置でガイドレール４に沿って転動するが、図６に示すように、前記移動パネル１が移動中に左右に振れて傾斜すると、この場合に移動パネル１の重心は下がって前記圧縮コイルばね１７を押し縮めることになるが、弾性抵抗力によって移動パネル１が自動的に垂直姿勢に復元するように作用するのである。
【００３０】
ここで、図５に示すように、前記移動パネル１の高さをＨ、重量をＭとすると、所定角度θだけ移動パネル１が傾斜した場合に、転動輪２を支点とする時計回りの回転モーメントはＭθ＝ＭＨ・Ｆ（θ）となる。ここで、Ｆ（θ）はθの増加につれて９０°までは大きくなる三角関数である。一方、前記圧縮コイルばね１７のばね定数をｋとすると、移動パネル１がθだけ傾斜すると、該圧縮コイルばね１７はＨｇ（θ）だけ押し縮められ、回転軸１１の方向にＦ＝Ｆ0+ｋＨｇ（θ）の引張り力が発生する。ここで、Ｆ0は移動パネル１が垂直状態で最初から生じている初期引張り力である。このＦによって、移動パネル１は半時計回りの回転モーメントＭ-θ＝ＦＨＧ（θ）が生じる。ここで、ｇ（θ）、Ｇ（θ）はθの増加につれて大きくなる三角関数である。ばね定数ｋを設定することによって、安定条件式Ｍ-θ＞Ｍθとなるように設定することが可能である。傾斜角度θが所定範囲内で前述の安定条件式を満たすようにすることは可能である。尚、ばね定数ｋを大きくし過ぎると、移動パネル１の傾斜に対しての安定度は増すが、転動輪２にかかる荷重が減少し、前記ガイドレール４への負担が大きくなり過ぎるので、下荷重方式の製品コンセプトに反することになる。
【００３１】
このように圧縮コイルばね１７のばね定数ｋを設定することに、移動パネル１がガイドレール４に沿って走行中に蛇行しても、自然に元の走行軌道に戻すことができる。即ち、移動パネル１が傾き始めると、ガイドローラ３が引っ張られ、圧縮コイルばね１７が圧縮する力が加わり、その弾性復元力を利用し、蛇行し始めた移動パネル１を元の軌道に戻すのである。
【００３２】
そして、図６に示すように、所定位置に移動させた移動パネル１の姿勢を安定に維持するために、各移動パネル１の下端に設けたリフト機構２１を操作して床面Ｆに圧接し、前記転動輪２を床面Ｆから浮上させる。また、ガイドレール４の方向変換部Ａに位置する移動パネル１を前記リフト機構２１によって浮上させると、前記垂下板５，５より前記移動パネル１の立壁部７，７が高くなるので、その上縁に設けたスライダー８，８が垂下板５，５に当止するので、回転が規制された状態となる。尚、直列保持部Ｂに位置する移動パネル１，…は、常にスライダー８，８がガイドレール４の垂下板５，５に当止する位置にある。
【００３３】
次に、図７〜図１１に基づき本発明の実施形態を更に詳しく説明する。図７は本実施形態の移動式間仕切装置の全体を示す正面図であり、図８〜図１１はその詳細を示している。本実施形態では移動パネル１の構造について詳しく説明する。その他の構成で、前述の構成と同一構成には、同一符号を付してその説明は省略する。
【００３４】
図８（ａ）及び図９に示すように、前記移動パネル１は、両側の側枠杆２２，２２の上下に上枠杆２３と下枠杆２４でフレームを形成し、該フレームで透明又は半透明、あるいは不透明なパネル板２５の周囲を保持し、更に下枠杆２４には複数の転動輪２，…を取付け、上枠杆２には前記ユニット化したガイドローラ３を取付け、側枠杆２２，２２の一方又は両方にパッキン２６を取付けている。ここで、前記側枠杆２２、上枠杆２３及び下枠杆２４は、アルミ押し出し型材で製作している。
【００３５】
そして、前記側枠杆２２には、一側面に前記パネル板２５を保持する凹溝２７を形成すると共に、他側面に沿った中央部に一対の爪片からなる嵌合部２８を形成し、該嵌合部２８に前記パッキン２６を嵌着できるようになっている。尚、パッキン２６を嵌着しない嵌合部２８は、隣接する移動パネル１における側枠杆２２に取付けたパッキン２６を受け入れて密着できるようになっている。前記上枠杆２３は、中間部の底面板１８より上方へ立壁部７，７を形成して、該底面板１８と両立壁部７，７とで凹溝部６を形成し、また底面板１８より下方に断面略四角形の本体部２９を形成し、該本体部２９の下面に前記パネル板２５を保持する凹溝３０を形成したものである。また、前記下枠杆２４は、上面に前記パネル板２５を保持する凹溝３１を形成したものである。そして、前記側枠杆２２，２２の上下端に、上枠杆２３及び下枠杆２４を図示しない連結金具で連結するとともに、両側枠杆２２，２２の凹溝２７，２７と上枠杆２３の凹溝３０及び下枠杆２４の凹溝３１で前記パネル板２５の周囲を保持するのである。
【００３６】
また、図８（ｂ）及び図９に示すように、前記開閉パネル１３も同様に、両側の側枠杆２２，２２の上下に上枠杆２３と下枠杆２４でフレームを形成し、該フレームで透明又は半透明、あるいは不透明なパネル板２５の周囲を保持している。ここで、一方の側枠杆２２の外側面には、前記嵌合部２８の代わりに突条３２を形成した以外は、前記移動パネル１の部品と同じ型材を用いて開閉パネル１３を構成する。この開閉パネル１３の場合には、一側端部の上下に支軸３３，３４を突設し、上方の支軸３３を前記ガイドレール４の方向変換部Ａの端部に固定した軸受板３５に回転可能に下方から嵌挿するとともに、下方の支軸３４を床面Ｆの壁面Ｗ側の近傍に埋設した軸受筒３６に上方から回転可能に嵌挿して、水平回動可能に保持している。
【００３７】
また、図１０及び図１１に示すように、前記移動パネル１と同様に、前記開閉パネル１３の下端部にも前記同様なリフト機構２１を設けている。そして、終端側まで移動パネル１を移動させた後、そのリフト機構２１を操作して該移動パネル１を上昇させて前記転動輪２，…を浮上させて移動不能とし、該浮上させた移動パネル１の側端部の嵌合部２８に、隣接する移動パネル１のパッキン２６を接触させた状態で、該移動パネル１のリフト機構２１を操作して浮上させ、次々に同様の操作を繰り返す。それから、最後に前記開閉パネル１３をガイドレール４に沿った閉止状態とし、端部側の移動パネル１の側端部の嵌合部２８に突条３２を当止し、該開閉パネル１３のリフト機構２１を操作して浮上させ、上端の凹溝部６内にガイドレール４の方向変換部Ａを受け入れて、前記スライダー８，８を転用して上縁に設けたパッキンが垂下板５，５に当止することで、回動不能とすることができるようになっている。
【００３８】
ここで、対面する両壁面Ｗ，Ｗには、それぞれ壁面Ｗに端部部材３７，３８を取付け、開閉パネル１３を設ける側の壁面Ｗに取付けた端部部材３７には、該開閉パネル１３の端部側の側枠杆２２に設けたパッキン２６を当止する突条３９を形成し、他方の壁面Ｗに取付けた端部部材３８には前記嵌合部２８と同様な断面形状の嵌合部４０を形成している。また、本実施形態では、開閉パネル１３に隣接する移動パネル１の両側の嵌合部２８，２８にそれぞれパッキン２６，２６を嵌着している。その他の移動パネル１，…には、一側の嵌合部２８にのみパッキン２６を嵌着している。そして、移動パネル１で室内空間を閉止する際にガイドレール４に沿って移動するときに、前記パッキン２６を設けた側から移動させ、端部部材３８の嵌合部４０に当接するのである。
【図面の簡単な説明】
【００３９】
【図１】移動式間仕切装置の動作原理を説明するための説明図である。
【図２】移動パネルがガイドレールの直列保持部に位置した状態を一部断面で示した斜視図である。
【図３】移動パネルがガイドレールの方向変換部に位置した状態を一部断面で示した斜視図である。
【図４】ガイドローラを含むユニット化した機構部を示し、（ａ）は機構部を移動パネルに取付ける様子を示した斜視図、（ｂ）は取付後の縦断面図である。
【図５】移動パネルが傾斜した状態を示す簡略説明図である。
【図６】所定位置に移動させた移動パネルをリフト機構によって上昇させた状態を一部断面で示した斜視図である。
【図７】本実施形態の移動式間仕切装置を示す全体正面図である。
【図８】同じく移動式間仕切装置の詳細を示し、（ａ）は移動パネルの縦断面図、（ｂ）は開閉パネルの縦断面図である。
【図９】開閉パネルを開き、移動パネルを一側部に重ねて格納し、室内空間を開放した状態の横断面図である。
【図１０】移動パネルを直線上に整列し、開閉パネルを閉じて室内空間を区画した状態の横断面図である。
【図１１】同じく閉止状態を示し、（ａ）は移動パネルの縦断面図、（ｂ）は開閉パネルの縦断面図である。
【符号の説明】
【００４０】
１  移動パネル、          ２  転動輪
３  ガイドローラ、        ４  ガイドレール
５  垂下板、              ６  凹溝部
７  立壁部、              ８  スライダー
９  上板、                １０  摺動片
１１  回転軸、            １２  切欠部
１３  開閉パネル、        １４  ブロック体
１５  中心孔、            １６  係止部
１８  底面板、            １９開口
２０  ネジ、              ２１  リフト機構
２２  側枠杆、            ２３  上枠杆
２４  下枠杆、            ２５  パネル板
２６  パッキン、          ２７  凹溝
２８  嵌合部、            ２９  本体部
３０  凹溝、              ３１  凹溝
３２  突条、              ３３  支軸
３４  支軸、              ３５  軸受板
３６  軸受筒、            ３７  端部部材
３８  端部部材、          ３９  突条
４０  嵌合部
Ａ  方向変換部、          Ｂ  直列保持部
Ｆ  床面、                Ｓ  天井
Ｗ  壁面
【図１】
2008002061.tif 000003
【図２】
2008002061.tif 000004
【図３】
2008002061.tif 000005
【図４】
2008002061.tif 000006
【図５】
2008002061.tif 000007
【図６】
2008002061.tif 000008
【図７】
2008002061.tif 000009
【図８】
2008002061.tif 000010
【図９】
2008002061.tif 000011
【図１０】
2008002061.tif 000012
【図１１】
2008002061.tif 000013